【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
遊技盤に設けられた始動口に遊技球が入球したことを条件として大当たり抽選を行い、当選した場合にはその当たり種別に応じて前記遊技盤のそれぞれ異なる位置に設けられた第１大入賞口又は第２大入賞口を開閉する遊技機であって、
前記遊技盤の中央に設けられた略矩形の画像表示手段と、
前記遊技盤の前記画像表示手段より下方に設けられ、前記第１大入賞口を開閉する第１役物と、
前記遊技盤の前記画像表示手段より上方に設けられ、前記第２大入賞口を開閉する第２役物と、
前記画像表示手段の下方又は側方に設けられ、前記画像表示手段に向かって略線状に点灯する一次ランプ表示手段と、
前記画像表示手段の上方で前記第２役物に対応して設けられた二次ランプ表示手段と、
前記画像表示手段、前記一次ランプ表示手段および前記二次ランプ表示手段をそれぞれ制御する制御手段と、
を備え、
前記制御手段は、前記大当たり抽選において前記第２大入賞口を開閉する当たりに当選したとき、前記一次ランプ表示手段の点灯表示と、前記画像表示手段による画像表示と、前記二次ランプ表示手段の点灯表示とを行うことにより、前記一次ランプ表示手段から前記第２役物に向かうライン状の演出表示を行うことを特徴とする遊技機。
【請求項２】
前記制御手段は、前記画像表示手段における画像表示を行う際、前記一次ランプ表示手段から前記二次ランプ表示手段に向かってライン状の画像表示を行うことを特徴とする請求項１記載の遊技機。
【請求項３】
前記制御手段は、前記一次ランプ表示手段による点灯表示と、前記画像表示手段による画像表示と、前記二次ランプ表示手段による点灯表示とを順次行っていくことで、前記遊技盤において前記第２役物に向かうライン状の演出表示を行うことを特徴とする請求項１又は２記載の遊技機。
【請求項４】
前記制御手段は、前記大当たり抽選において前記第２大入賞口を開閉する当たりに当選したとき、前記一次ランプ表示手段の点灯表示を行った後に、前記画像表示手段において前記一次ランプ表示手段から前記二次ランプ表示手段に向かうライン状の画像を表示させ、そのライン状の画像の表示後に、前記二次ランプ表示手段による点灯表示を行うことを特徴とする請求項１乃至３のいずれかに記載の遊技機。
【手続補正２】
【補正対象書類名】明細書
【補正対象項目名】００１０
【補正方法】変更
【補正の内容】
【００１０】
上記目的を達成するため、請求項１にかかる発明は、遊技盤に設けられた始動口に遊技球が入球したことを条件として大当たり抽選を行い、当選した場合にはその当たり種別に応じて前記遊技盤のそれぞれ異なる位置に設けられた第１大入賞口又は第２大入賞口を開閉する遊技機であって、前記遊技盤の中央に設けられた略矩形の画像表示手段と、前記遊技盤の前記画像表示手段より下方に設けられ、前記第１大入賞口を開閉する第１役物と、前記遊技盤の前記画像表示手段より上方に設けられ、前記第２大入賞口を開閉する第２役物と、前記画像表示手段の下方又は側方に設けられ、前記画像表示手段に向かって略線状に点灯する一次ランプ表示手段と、前記画像表示手段の上方で前記第２役物に対応して設けられた二次ランプ表示手段と、前記画像表示手段、前記一次ランプ表示手段および前記二次ランプ表示手段をそれぞれ制御する制御手段と、を備え、前記制御手段は、前記大当たり抽選において前記第２大入賞口を開閉する当たりに当選したとき、前記一次ランプ表示手段の点灯表示と、前記画像表示手段による画像表示と、前記二次ランプ表示手段の点灯表示とを行うことにより、前記一次ランプ表示手段から前記第２役物に向かうライン状の演出表示を行うことを特徴としている。
【手続補正３】
【補正対象書類名】明細書
【補正対象項目名】００１１
【補正方法】変更
【補正の内容】
【００１１】
かかる構成によれば、大当たり抽選において第２大入賞口を開閉する当たりに当選すると、その当たりに応じて行われるリーチ演出などの演出表示において第２大入賞口を指し示すような演出表示を行うことが可能になり、その演出表示中に遊技者の視線を第２大入賞口に注目させることができる。すなわち、第２大入賞口を開閉する第２役物は遊技者にとって関心の高いひとつの役物であり、大当たり抽選の抽選結果に応じて演出表示中にその第２役物に向かうライン状の演出表示を遊技盤において行うことにより、第２役物が第２大入賞口を開放することを演出表示によって期待させながら、遊技者を演出表示に注目させることができる。
【手続補正４】
【補正対象書類名】明細書
【補正対象項目名】００１２
【補正方法】変更
【補正の内容】
【００１２】
また請求項２にかかる発明は、請求項１記載の遊技機において、前記制御手段は、前記画像表示手段における画像表示を行う際、前記一次ランプ表示手段から前記二次ランプ表示手段に向かってライン状の画像表示を行うことを特徴としている。
【手続補正５】
【補正対象書類名】明細書
【補正対象項目名】００１３
【補正方法】変更
【補正の内容】
【００１３】
かかる構成によれば、第２役物に向かうライン状の演出表示を遊技盤において行う際、画像表示手段においては、一次ランプ表示手段から二次ランプ表示手段に向かうライン状の画像表示が行われるようになる。
【手続補正６】
【補正対象書類名】明細書
【補正対象項目名】００１４
【補正方法】変更
【補正の内容】
【００１４】
また請求項３にかかる発明は、請求項１又は２記載の遊技機において、前記制御手段は、前記一次ランプ表示手段による点灯表示と、前記画像表示手段による画像表示と、前記二次ランプ表示手段による点灯表示とを順次行っていくことで、前記遊技盤において前記第２役物に向かうライン状の演出表示を行うことを特徴としている。
【手続補正７】
【補正対象書類名】明細書
【補正対象項目名】００１５
【補正方法】変更
【補正の内容】
【００１５】
かかる構成によれば、第２大入賞口を開閉する当たりに当選した場合に、リーチ演出などの演出表示においてその第２役物を指し示すようなライン状の演出表示を遊技盤の略全体を利用して行うことが可能になる。特に、この場合におけるライン状の演出表示は、遊技盤において瞬時に行われるのではなく、一次ランプ表示手段による点灯表示と、画像表示手段による画像表示と、二次ランプ表示手段による点灯表示とが順次に行われることにより、第２役物に向かって順次表示されていくので、遊技者の期待感を高揚させながら遊技者の視線を第２役物に向けていくことができる。
【手続補正８】
【補正対象書類名】明細書
【補正対象項目名】００１６
【補正方法】変更
【補正の内容】
【００１６】
また請求項４にかかる発明は、請求項１乃至３のいずれかに記載の遊技機において、前記制御手段は、前記大当たり抽選において前記第２大入賞口を開閉する当たりに当選したとき、前記一次ランプ表示手段の点灯表示を行った後に、前記画像表示手段において前記一次ランプ表示手段から前記二次ランプ表示手段に向かうライン状の画像を表示させ、そのライン状の画像の表示後に、前記二次ランプ表示手段による点灯表示を行うことを特徴としている。
かかる構成によれば、例えば大当たり抽選で第２大入賞口を開閉する当たりに当選している場合には、二次ランプ表示手段を点灯させて第２役物に向かうライン状の演出表示を行うことにより、遊技者に対して第２役物が開放することを報知することができる。
【手続補正９】
【補正対象書類名】明細書
【補正対象項目名】００１７
【補正方法】変更
【補正の内容】
【００１７】
また本発明には、上記のような発明の他、次のような発明が含まれる。すなわち、まず第１に、「遊技盤に設けられた始動口に遊技球が入球したことを条件として大当たり抽選を行い、当選した場合にはその当たり種別に応じて前記遊技盤のそれぞれ異なる位置に設けられた第１大入賞口又は第２大入賞口を開閉する遊技機であって、前記遊技盤の中央に設けられた略矩形の画像表示手段と、前記遊技盤の前記画像表示手段より下方に設けられ、前記第１大入賞口を開閉する第１役物と、前記遊技盤の前記画像表示手段より上方に設けられ、前記第２大入賞口を開閉する第２役物と、少なくとも２つの点灯部を有して前記画像表示手段の上方又は側方に設けられ、前記画像表示手段に向かって略線状に点灯する第１の一次ランプ表示手段と、少なくとも２つの点灯部を有し、且つ前記画像表示手段の下方又は側方で前記第１の一次ランプ表示手段とは異なる位置に設けられ、前記画像表示手段に向かって略線状に点灯する第２の一次ランプ表示手段と、前記画像表示手段の下方で前記第１役物に対応して設けられた第１の二次ランプ表示手段と、前記画像表示手段の上方で前記第２役物に対応して設けられた第２の二次ランプ表示手段と、前記画像表示手段、前記第１および第２の一次ランプ表示手段、前記第１および第２の二次ランプ表示手段をそれぞれ制御する制御手段とを備えており、前記制御手段は、前記大当たり抽選における抽選結果に応じて、前記第１又は第２の一次ランプ表示手段から前記第１役物又は第２役物に向かうライン状の演出表示を行うことを特徴とする遊技機」なる発明が含まれる。
かかる第１の構成によれば、大当たり抽選に当選した場合、その当たりの種別に応じてリーチ演出などの演出表示において第１大入賞口および第２大入賞口のいずれか一方を指し示すような演出表示が可能になり、その演出表示中に遊技者の視線を第１大入賞口又は第２大入賞口に注目させることができる。すなわち、第１大入賞口を開閉する第１役物や第２大入賞口を開閉する第２役物は遊技者にとって関心の高い役物であり、大当たり抽選の抽選結果に応じて演出表示中にそれらの役物に向かうライン状の演出表示を遊技盤において行うことにより、第１役物が第１大入賞口を開放することや、第２役物が第２大入賞口を開放することを演出表示によって期待させながら、遊技者を演出表示に注目させることができる。尚、第１および第２の一次ランプ表示手段は、それぞれ少なくとも２つの点灯部を有しているので、これら少なくとも２つの点灯部を順次に点灯させていくことにより、第１および第２の一次ランプ表示手段のそれぞれにおいてもライン状の演出表示を順次に点灯表示していくことができる。
また第２に、「前記制御手段は、前記第１の一次ランプ表示手段による点灯表示と、前記画像表示手段による画像表示と、前記第１の二次ランプ表示手段による点灯表示とを順次行っていくことで、前記遊技盤において前記第１役物に向かうライン状の演出表示を行うことを特徴とする上記第１の構成の遊技機」が含まれる。
かかる第２の構成によれば、例えば第１役物が第１大入賞口を開閉する当たりに当選した場合に、リーチ演出などの演出表示においてその第１役物を指し示すようなライン状の演出表示を遊技盤の略全体を利用して行うことが可能になる。特に、この場合におけるライン状の演出表示は、遊技盤において瞬時に行われるのではなく、第１の一次ランプ表示手段による点灯表示と、画像表示手段による画像表示と、第１の二次ランプ表示手段による点灯表示とが順次に行われることにより、第１役物に向かって順次表示されていくので、遊技者の期待感を高揚させながら遊技者の視線を第１役物に向けていくことができる。
また第３に、「前記制御手段は、前記第２の一次ランプ表示手段による点灯表示と、前記画像表示手段による画像表示と、前記第２の二次ランプ表示手段による点灯表示とを順次行っていくことで、前記遊技盤において前記第２役物に向かうライン状の演出表示を行うことを特徴とする上記第１又は第２の構成の遊技機」が含まれる。
かかる第３の構成によれば、例えば第２役物が第２大入賞口を開閉する当たりに当選した場合に、リーチ演出などの演出表示においてその第２役物を指し示すようなライン状の演出表示を遊技盤の略全体を利用して行うことが可能になる。特に、この場合におけるライン状の演出表示は、遊技盤において瞬時に行われるのではなく、第２の一次ランプ表示手段による点灯表示と、画像表示手段による画像表示と、第２の二次ランプ表示手段による点灯表示とが順次に行われることにより、第２役物に向かって順次表示されていくので、遊技者の期待感を高揚させながら遊技者の視線を第２役物に向けていくことができる。
また第４に、「前記制御手段は、前記大当たり抽選において当選した場合にはその当たり種別に応じて、前記第１および第２の一次ランプ表示手段のいずれか一方による点灯表示を行った後に、前記画像表示手段においてはその一方の一次ランプ表示手段から、他方の一次ランプ表示手段或いは前記第１および第２の二次ランプ表示手段のいずれかに向かうライン状の画像を表示させ、そのライン状の画像の表示後に、そのライン状の画像が向かう方向に位置する一次ランプ表示手段又は二次ランプ表示手段による点灯表示を行うことを特徴とする上記第１乃至第３のいずれかの構成の遊技機」が含まれる。
かかる第４の構成によれば、例えば大当たり抽選で当選している場合には、第１および第２の二次ランプ表示手段のいずれか一方を点灯させて第１役物又は第２役物に向かうライン状の演出表示を行うことにより、遊技者に対して開放する役物を報知することができると共に、大当たり抽選でハズレとなっている場合には、他方の一次ランプ表示手段を点灯させて第１役物又は第２役物に向かわないライン状の演出表示を行うことにより、遊技者に対して第１役物および第２役物のいずれも開放しないことを報知することができる。
【手続補正１０】
【補正対象書類名】明細書
【補正対象項目名】００１８
【補正方法】変更
【補正の内容】
【００１８】
本発明にかかる遊技機によれば、大当たり抽選において第２大入賞口を開閉する当たりに当選したとき、リーチ演出などの各種演出表示において第２役物を指し示すような演出表示が行われるので、その演出表示中に遊技者の視線を、画像表示手段より上方に設けられている第２役物（第２大入賞口）に注目させることができると共に、遊技者にとって関心の高い役物のひとつである第２役物が第２大入賞口を開放することを演出表示によって期待させることができ、興趣性の高い遊技機を実現することができる。
【手続補正１１】
【補正対象書類名】明細書
【補正対象項目名】００２９
【補正方法】変更
【補正の内容】
【００２９】
ここで確率変動モード（確変モード）と潜伏確率変動モード（潜伏確変モード）の違いについて説明すると、確率変動モードでは遊技機１において大当たりの当選確率が通常確率よりも高確率に変動したことを遊技者に報知する演出が行われ、遊技者が確率変動モードに移行したことを容易に把握することができる遊技状態となる。これに対し、潜伏確率変動モードでは遊技機１において大当たりの当選確率が通常確率よりも高確率に変動したことを報知する演出などは行われず、通常の遊技状態と変わるところがないので、遊技者が潜伏確率変動モードに移行したことを明確には把握することができない遊技状態となる。
【手続補正１２】
【補正対象書類名】明細書
【補正対象項目名】００３８
【補正方法】変更
【補正の内容】
【００３８】
第２の二次ランプ表示部３６は、遊技盤１０において画像表示器８の上部左側に配置されている。この第２の二次ランプ表示部３６は、遊技盤１０の背面側に取り付けられたランプ基板３６ａと、そのランプ基板３６ａに配列された複数の点灯部７６とを有している。複数の点灯部７６のそれぞれは例えばＬＥＤなどで構成されており、各点灯部７６の点灯および消灯を個別に制御することができるようになっている。これら複数の点灯部７６は画像表示器８の上部の所定位置から第２大入賞口２５および第２役物２６に向かう所定の直線、曲線或いはそれらを組み合わせた線に沿って配置されている。この第２の二次ランプ表示部３６は、例えば大当たり抽選で「短当たり」又は「小当たり」となった場合に点灯し、遊技者に対して第２役物２６が第２大入賞口２５を開放することを報知する。
【手続補正１３】
【補正対象書類名】明細書
【補正対象項目名】００５５
【補正方法】変更
【補正の内容】
【００５５】
したがって、本実施形態の遊技機１は、遊技盤１０のほぼ全体を利用して遊技領域１３の上部から下部に向かうライン状の演出表示や遊技領域１３の下部から上部に向かうライン状の演出表示を行うことができる。そしてこのような演出表示において第１の二次ランプ表示部３５が点灯する場合には、遊技領域１３において第１大入賞口２２を開放する第１役物２３に向かうライン状の演出表示が行われる。また第２の二次ランプ表示部３６が点灯する場合には、遊技領域１３において第２大入賞口２５を開放する第２役物２６に向かうライン状の演出表示が行われる。そして本実施形態では、遊技機１における特別図柄抽選（大当たり抽選）の抽選結果に応じて第１役物２３又は第２役物２６に向かうライン状の演出表示を行うことにより、遊技者にとって関心の高い大入賞口２２又は２５を指し示すような演出を行い、その演出表示中に遊技者の視線を大入賞口２２又は２５に注目させることができるように構成されている。例えば、特別図柄抽選（大当たり抽選）で大当たりに当選して「長当たり」となった場合には、リーチ演出などの演出表示中に、第１役物２３に向かうライン状の演出表示が行うことで、遊技者の視線を第１役物２３に向けさせることができると共に、遊技者に対して第１大入賞口２２が開放することを期待させることができる。また例えば、特別図柄抽選（大当たり抽選）で大当たりに当選して「短当たり」となった場合、或いは、小当たりに当選した場合には、リーチ演出などの演出表示中に、第２役物２６に向かうライン状の演出表示を行うことで、遊技者の視線を第２役物２６に向けさせることができると共に、遊技者に対して第２大入賞口２５が開放することを期待させることができる。そして画像表示器８では、特別図柄抽選（大当たり抽選）の抽選結果に応じて、ライン状の画像の進行方向を変化させることで、遊技者は、遊技領域１３のほぼ全体で行われるライン状の演出表示が、第１役物２３および第２役物２６のいずれかに向かって表示されていくか、或いは、第１役物２３および第２役物２６のいずれにも向かわない方向に表示されていくかという点に興味を持ち、このライン状の演出表示に注目するようになる。
【手続補正１４】
【補正対象書類名】明細書
【補正対象項目名】００６３
【補正方法】変更
【補正の内容】
【００６３】
図９（ｂ）は、特別図柄抽選で大当たりに当選し、長当たりと確変モードとが設定された場合の大当たり確変図柄Ａを示している。この大当たり確変図柄Ａには、複数の特別図柄５３ｅ，５３ｆ，５３ｇ，５３ｈが予め設定されており、特別図柄抽選で大当たりに当選し、長当たりと確変モードとが設定されると、特別図柄表示器５３は、変動表示後に複数の特別図柄５３ｅ，５３ｆ，５３ｇ，５３ｈのうちのいずれか一つを表示した状態で停止する。このとき画像表示器８においては、リーチ演出などの演出表示が行われた後、１〜９などの数字を付した複数の装飾図柄が例えば「７７７」などの奇数図柄で揃った状態で停止する。